(57)【要約】【課題】本発明は、室内に人の存否を確認して運転停止を行うとともに運転停止後一定時間が経過するまでイオン発生部を駆動して室内を快適な状態に近づける空気調整装置を提供することを目的とする。【解決手段】人検知センサ５によって部屋の中に人がいないことが検知されると、ヒータ１の停止させた後、タイマ４によって所定時間ｔｋが経過したことを確認するまで、ファン２及びイオン発生部３を動作させて、イオンを混入した空気を送風する。その後、所定時間ｔｋが経過したことが確認されると、ファン２及びイオン発生部３が停止される。【選択図】      図１
2004162964.tif 000002
【特許請求の範囲】
【請求項１】
イオンを発生させるイオン発生部と、人の存否を検知する人検知センサとを備える空気調整装置において、
前記人検知センサによって人がいないことが検知されたとき、前記空気調整装置の運転停止後、所定時間が経過するまで前記イオン発生部を動作させる制御部を備えることを特徴とする空気調整装置。
【請求項２】
イオンを発生させるイオン発生部と、機外から吸気した前記空気の温度を変更する温度調節部とを備えるとともに、前記イオン発生部で発生したイオンが混入されるとともに前記温度調節部によって温度が変更された空気を機外に送風する空気調整装置において、
時間を計測するタイマを備えるとともに、
前記温度調節部が停止した後、前記タイマによって第１所定時間が経過したことが計測されるまで、前記イオン発生部が所定の動作状態で動作することを特徴とする空気調整装置。
【請求項３】
イオンを発生させるイオン発生部と、機外から吸気した前記空気の温度を変更する温度調節部と、人の存否を検知する人検知センサとを備えるとともに、前記イオン発生部で発生したイオンが混入されるとともに前記温度調節部によって温度が変更された空気を機外に送風する空気調整装置において、
時間を計測するタイマを備えるとともに、
前記人検知センサによって人がいないことが検知されたとき、前記温度調節部が停止又は現在設定されている温度より室外に近い温度で保温動作を開始した後、前記タイマによって第１所定時間が経過したことが計測されるまで、前記イオン発生部を所定の動作状態で動作させることを特徴とする空気調整装置。
【請求項４】
前記所定の動作状態が、負イオンを発生するリラクゼーション動作であることを特徴とする請求項２又は請求項３に記載の空気調整装置。
【請求項５】
前記所定の動作状態が、正イオン及び負イオンを発生する除菌動作であることを特徴とする請求項２又は請求項３に記載の空気調整装置。
【請求項６】
前記所定の動作状態が、負イオンを発生するリラクゼーション動作を前記第１所定時間より短い第２所定時間まで行った後に、正イオン及び負イオンを発生する除菌動作を行うことであることを特徴とする請求項２又は請求項３に記載の空気調整装置。
【請求項７】
前記所定の動作状態が、正イオン及び負イオンを発生する除菌動作を前記第１所定時間より短い第２所定時間まで行った後に、負イオンを発生するリラクゼーション動作を行うことであることを特徴とする請求項２又は請求項３に記載の空気調整装置。
【請求項８】
室内の空気の汚れを検知する汚れセンサを備えるとともに、前記所定の動作状態を前記汚れセンサで検知された室内の空気の汚れに基づいて設定することを特徴とする請求項２又は請求項３に記載の空気調整装置。
【請求項９】
イオンを発生させるイオン発生部と、機外から吸気した前記空気の温度を変更する温度調節部と、人の存否を検知する人検知センサとを備えるとともに、前記イオン発生部で発生したイオンが混入されるとともに前記温度調節部によって温度が変更された空気を機外に送風する空気調整装置において、
時間を計測するタイマを備えるとともに、
前記人検知センサを動作しているとき、前記人検知センサによって人がいないことが検知された後、前記タイマによって第１所定時間が経過するまで入室が確認されなかった場合、装置全体の動作を停止させ、
前記人検知センサを動作していないとき、当該空気調整装置が操作されていないことが確認された後、前記タイマによって前記第１所定時間と異なる第２所定時間が経過するまで当該空気調整装置への操作が確認されなかった場合、装置全体の動作を停止させることを特徴とする空気調整装置。
【発明の詳細な説明】
【０００１】
【発明の属する技術分野】
本発明は、イオン発生部を備えた空気調整装置に関するもので、特に、人の存否を検知する人検知センサを備えた空気調整装置に関する。
【０００２】
【従来の技術】
空気調整装置において暖房器具として扱われる装置は、室内に人がいない場合、その安全性の面から停止させる必要がある。よって、このような空気調整装置において、室内の人の存否を検知するための人検知センサが設けられ、人検知センサが室内において人を一定時間感知することがない場合には、空気調整装置の動作が停止する。
【０００３】
このような従来の技術として、使用者の使用終了後一定時間を経過した場合に運転を中止するトイレ室内暖房装置が提供されている（特許文献１参照）。又、室内の人の存否を確認する人体検知センサからの信号に応じて加湿器の運転状態を変更する空気調和機が提供されている（特許文献２参照）。又、本出願人は、運転開始後一定時間で運転を停止する機能を備えるとともに、運転停止前に報知する解放燃焼式暖房機を提供している（特許文献３参照）。
【０００４】
又、従来のイオン発生部を備えた空気調整装置では、空気調整装置が運転停止を行うと、この運転停止と同時に動作中のイオン発生部も停止する。よって、人検知センサが設けられて、室内の人の存否を検知しているとき、室内に人がいなくなったことを人検知センサで検知すると、イオン発生部を含む装置全体の運転が停止する。
【０００５】
【特許文献１】
特開平９−１５８２９１号公報
【特許文献２】
特開平７−２４８１４３号公報
【特許文献３】
特開平５−３１２４０７号公報
【０００６】
【発明が解決しようとする課題】
しかしながら、室内に人がいる場合、室内の空気の汚染度は高く、更に除菌することが好ましい。又、その汚染度が低い場合でも、負イオンの濃度が低い状態であるため、次に入室する人が快適に感じる状態でない。よって、従来のように、イオン発生部を含む空気調整装置全ての運転を同時に停止する場合、次回に運転が開始されたとき、室内の負イオンの濃度が低いため、快適な環境とするのに十分な濃度になるまで時間がかかってしまう。又、運転を完全に停止してしまったとき、安全が確認される時間内に次に人が入室した場合、室温が快適な室温に保つことができない。
【０００７】
又、特許文献１では、暖房機の運転停止動作のみについてのものであり、他の機能の停止動作との関連性については述べられていない。又、特許文献２については、運転停止後に室内の人の存否を確認するものであり、人の存否を確認することによって運転を停止するか否かを決定するものではない。又、特許文献３については、運転開始後一定時間が経過したときに運転を停止するものであり、人の存否を確認することによって運転を停止するか否かを決定するものではない。よって、特許文献１〜特許文献３については、本発明の目的と異にするものである。
【０００８】
このような問題を鑑みて、本発明は、室内に人の存否を確認して運転停止を行うとともに運転停止後一定時間が経過するまでイオン発生部を駆動して室内を快適な状態に近づける空気調整装置を提供することを目的とする。
【０００９】
【課題を解決するための手段】
上記目的を達成するために、本発明の空気調整装置は、イオンを発生させるイオン発生部と、人の存否を検知する人検知センサとを備える空気調整装置において、前記人検知センサによって人がいないことが検知されたとき、前記空気調整装置の運転停止後、所定時間が経過するまで前記イオン発生部を動作させる制御部を備えることを特徴とする。
【００１０】
又、本発明の空気調整装置は、イオンを発生させるイオン発生部と、機外から吸気した前記空気の温度を変更する温度調節部とを備えるとともに、前記イオン発生部で発生したイオンが混入されるとともに前記温度調節部によって温度が変更された空気を機外に送風する空気調整装置において、時間を計測するタイマを備えるとともに、前記温度調節部が停止した後、前記タイマによって所定時間が経過したことが計測されるまで、前記イオン発生部が所定の動作状態で動作することを特徴とする。
【００１１】
この構成によると、温度調節部としてヒータが設けられる場合、温度調節部となるヒータで温度上昇された空気が送風される。又、温度調節部として熱交換機が用いられる場合、温度調節部となる熱交換機で温度上昇又は下降された空気が送風される。そして、ユーザによって電源ＯＦＦが指示されたとき、又は、自動的に電源ＯＦＦとなるように制御するとき、まず、温度調節部が停止するとともに、イオン発生部が所定の動作状態で動作し、第１所定時間経過後に、イオン発生部が停止する。このとき、空気を外部に送風するファンを備えているとき、このファンはイオン発生部と同時に停止する。
【００１２】
又、本発明の空気調整装置は、イオンを発生させるイオン発生部と、機外から吸気した前記空気の温度を変更する温度調節部と、人の存否を検知する人検知センサとを備えるとともに、前記イオン発生部で発生したイオンが混入されるとともに前記温度調節部によって温度が変更された空気を機外に送風する空気調整装置において、時間を計測するタイマを備えるとともに、前記人検知センサによって人がいないことが検知されたとき、前記温度調節部が停止又は現在設定されている温度より室外に近い温度で保温動作を開始した後、前記タイマによって第１所定時間が経過したことが計測されるまで、前記イオン発生部を所定の動作状態で動作させることを特徴とする。
【００１３】
この構成によると、人検知センサによって室内に人がいないことが検知されると、まず、温度調節部が停止又は保温動作をするとともに、イオン発生部が所定の動作状態で動作し、第１所定時間経過後に、イオン発生部が停止する。このとき、空気を外部に送風するファンを備えているとき、このファンはイオン発生部と同時に停止する。又、温度調節部が保温動作を行う際、その保温動作によって保温される室温を複数段階で設定することができるようにしても構わない。又、室内に人がいるときに設定される温度に応じて、保温動作時の温度が設定されるようにしても構わない。
【００１４】
又、上記各構成の空気調整装置において、前記所定の動作状態を、負イオンを発生するリラクゼーション動作としても構わないし、正イオン及び負イオンを発生する除菌動作としても構わない。又、上記各構成の空気調整装置において、前記所定の動作状態を、負イオンを発生するリラクゼーション動作を前記第１所定時間より短い第２所定時間まで行った後に、正イオン及び負イオンを発生する除菌動作を行うものとしても構わないし、正イオン及び負イオンを発生する除菌動作を前記第１所定時間より短い第２所定時間まで行った後に、負イオンを発生するリラクゼーション動作を行うものとしても構わない。更に、上記各構成の空気調整装置において、室内の空気の汚れを検知する汚れセンサを備えるとともに、前記所定の動作状態を前記汚れセンサで検知された室内の空気の汚れに基づいて設定するようにしても構わない。
【００１５】
又、本発明の空気調整装置は、イオンを発生させるイオン発生部と、機外から吸気した前記空気の温度を変更する温度調節部と、人の存否を検知する人検知センサとを備えるとともに、前記イオン発生部で発生したイオンが混入されるとともに前記温度調節部によって温度が変更された空気を機外に送風する空気調整装置において、時間を計測するタイマを備えるとともに、前記人検知センサを動作しているとき、前記人検知センサによって人がいないことが検知された後、前記タイマによって第１所定時間が経過するまで入室が確認されなかった場合、装置全体の動作を停止させ、前記人検知センサを動作していないとき、当該空気調整装置が操作されていないことが確認された後、前記タイマによって前記第１所定時間と異なる第２所定時間が経過するまで当該空気調整装置への操作が確認されなかった場合、装置全体の動作を停止させることを特徴とする。
【００１６】
この構成によると、人検知センサが動作しているときは、室内に人がいないことを検知してから第１所定時間が経過するまで入室が確認されなかった場合、装置全体の動作を停止させる。このとき、上述の構成のように、まず、温度調節部を停止させた後、一定期間経過後に、イオン発生部を停止させるようにしても構わない。又、人検知センサが動作していないときは、ユーザーに操作されていないことを確認してから第２所定時間が経過するまでユーザーに操作されなかった場合、装置全体の動作を停止させる。このときも、上述の構成のように、まず、温度調節部を停止させた後、一定期間経過後に、イオン発生部を停止させるようにしても構わない。このように動作するとき、例えば、第１所定時間を第２所定時間よりも長くするようにしても構わない。又、上述の各構成と組み合わせた構成としても構わない。
【００１７】
【発明の実施の形態】
以下に本発明の実施形態について、図面を参照して説明する。図１は、本実施形態の空気調整装置の内部構成を示すブロック図である。
【００１８】
図１の空気調整装置は、温風を生成するヒータ１と、温風を送風するためのファン２と、イオンを発生するイオン発生部３と、時間を測定するタイマ４と、室内の人の存否を検知する人検知センサ５と、室内の空気の汚染度を検知する汚れセンサ６と、空気調整装置の動作入力するための入力部７と、装置全体の制御を行う制御部８とを備える。
【００１９】
このような構成の空気調整装置において、入力部７によって装置を動作させるように入力されると、制御部８によって、ヒータ１とファン２とイオン発生部３とが駆動するように制御される。このとき、ファン２が回転することによって、吸気された空気がイオン発生部３を通過して、イオン発生部３によって発生されたイオンが空気に混入される。更に、イオンが混入された空気がファン２を通過した後、ヒータ１を通過することで加熱される。
【００２０】
このとき、人検知センサ５によって室内の人の存否が検知されるとともに、汚れセンサ６によって室内の空気の汚れが検知され、人検知センサ５及び汚れセンサ６による検出結果が制御部８に与えられる。そして、汚れセンサ６によって測定された室内の空気の汚染度が制御部８に与えられ、室内の空気の汚染度が高いとき、正イオンと負イオンが発生する「除菌動作」が行われ、室内の空気の汚染度が低いとき、負イオンが発生する「リラクゼーション動作」が行われる。
【００２１】
即ち、上述の除菌動作が行われるとき、イオン発生部１３ａ〜１３ｃでは、例えばＨ＋（Ｈ２Ｏ）ｍ（ｍは任意の自然数）からなる正イオンと、例えばＯ２（Ｈ２Ｏ）ｎ（ｎは任意の自然数）からなる負イオンとを発生させる。そして、この正負両イオンが空気中の浮遊細菌の表面に付着して化学反応を起こすため、活性種である過酸化水素（Ｈ２Ｏ２）又は水酸基ラジカル（・ＯＨ）が生成される。この過酸化水素又は水酸基ラジカルは、きわめて強力な活性を示し、その分解作用により浮遊細菌が破壊される。よって、正負両イオンを発生させることで、効率的に、空気中の浮遊細菌を不活化、除去することができる。
【００２２】
又、この活性種となる正負両イオンによって、ホルムアルデヒドやアンモニアなどの化学物質を無害化することも可能である。又、正負両イオンによって、インフルエンザウィルスやコクサッキーウィルスなどのウィルス類なども不活化することができ、ウィルス混入による汚染を防止できる。更に、正負両イオンによって、臭いの元となる分子を分解することができ、脱臭を行うことができる。
【００２３】
又、人検知センサ５で室内に人がいることが検知されて制御部８に検出結果が与えられているとき、ユーザーによって設定された運転条件で、室温が快適な状態となるように、ヒータ１及びファン２が動作するとともに、空気の汚れに応じてイオン発生部３が動作する。又、人検知センサ５で室内に人がいないことが検知されて制御部８に検出結果が与えられると、設定温度より低い温度での保温制御動作又は停止動作が行われる。
【００２４】
又、この人検知センサ５は、温感センサで構成されることが多く、温度変化が所定時間以上ないことが確認されたときに、人がいないことが検知される。尚、赤外線センサで構成される場合は、人がいなくなるとほぼ同時に、人がいないことを検知することができる。このとき、室内に人がいないときの保温制御動作及び停止動作の選択設定と、保温制御動作時の温度設定とが、入力部７が操作されることによって行われる。又、人検知センサ５のＯＮ／ＯＦＦについても、入力部７が操作されることによって設定される。
【００２５】
１ａ．人検知センサ５がＯＮのときの第１動作例
人検知センサ５をＯＮとしたときの第１動作例について、図２のフローチャートを参照して説明する。入力部７が操作されて電源が投入されると、制御部８によってヒータ１及びファン２及びイオン発生部３が駆動される（ＳＴＥＰ１）。よって、イオン発生部３から発生したイオンが混入されるとともにヒータ１で加熱された空気が、ファン２によって送風される。尚、このとき、入力部７の操作によって、イオン発生部３がＯＦＦとされる場合がある。
【００２６】
このように暖房運転が行われているとき、人検知センサ５が駆動しているので、人検知センサ５からの信号より室内の人の存否が制御部８によって検知される（ＳＴＥＰ２）。このとき、室内に人がいることが検知されると（Ｙｅｓ）、タイマ４がリセットされた後（ＳＴＥＰ３）、ＳＴＥＰ２に移行して暖房運転を続ける。又、室内に人がいないことが検知されると（Ｎｏ）、タイマ４がＯＮであるか否かが確認される（ＳＴＥＰ４）。このとき、タイマ４がＯＦＦである場合（Ｎｏ）、制御部８によってタイマ４がＯＮとされる（ＳＴＥＰ５）。
【００２７】
ＳＴＥＰ４においてタイマ４がＯＮであったとき（Ｙｅｓ）、又は、ＳＴＥＰ５でタイマ４がＯＮされたとき、停止するように設定されているか否かが制御部８によって確認される（ＳＴＥＰ６）。このとき、停止するように設定されている場合（Ｙｅｓ）、ヒータ１を停止するように制御部８が制御を行う（ＳＴＥＰ７）。よって、ファン２及びイオン発生部３が動作している状態となる。又、保温制御するように設定されている場合（Ｎｏ）、ヒータ１が保温制御動作を行う（ＳＴＥＰ８）。
【００２８】
この保温制御動作が行われるとき、保温温度が高中低の３段階で設定されている。そして、例えば、ＳＴＥＰ１において室温２６℃で動作しているとき、保温温度が高と設定されると室温２２℃で動作するように、又、保温温度が中と設定されると室温１８℃で動作するように、又、保温温度が低と設定されると室温１２℃で動作するように、それぞれの設定状態においてヒータ１の動作が制御される。
【００２９】
そして、ＳＴＥＰ７の停止動作及びＳＴＥＰ８の保温制御動作それぞれが行われると、イオン発生部３が動作しているか否かが確認される（ＳＴＥＰ９）。イオン発生部３が動作しているとき（Ｙｅｓ）、タイマ４で計測された時間ｔが所定時間ｔｋ（例えば２０分）経過しているか否かが確認される（ＳＴＥＰ１０）。そして、所定時間ｔｋ経過していることが確認されると（Ｙｅｓ）、ファン２及びイオン発生部３が停止するように制御部８が制御する（ＳＴＥＰ１１）。
【００３０】
ＳＴＥＰ９でイオン発生部３がＯＦＦであるとき（Ｎｏ）、又は、ＳＴＥＰ１１でイオン発生部３がＯＦＦとされたとき、タイマ４で計測された時間ｔが所定時間Ｔｋ（例えば２４時間）経過しているか否かが確認される（ＳＴＥＰ１２）。このとき、所定時間Ｔｋが経過していることが確認された場合（Ｙｅｓ）、電源がＯＦＦとされて、空気調整装置が停止する。又、ＳＴＥＰ１０で所定時間ｔｋが経過していないとき（Ｎｏ）、又は、ＳＴＥＰ１２で所定時間Ｔｋが経過していないとき（Ｎｏ）、ＳＴＥＰ２に移行して、室内の人の存否が確認される。
【００３１】
このようにすることで、人が室内からいなくなると、ヒータ１が停止、又は、保温制御を行う。そして、人が室内にいないことを検知してから時間ｔｋが経過するまでに人が入室しないと、ファン２及びイオン発生部３の動作が停止する。更に、人が室内にいないことを検知してから時間Ｔｋが経過するまでに人が入室しないと、空気調整装置の電源が停止する。
【００３２】
１ｂ．人検知センサ５がＯＮのときの第２動作例
人検知センサ５をＯＮとしたときの第２動作例について、図３のフローチャートを参照して説明する。尚、図３のフローチャートでは、図２のフローチャートと異なる部分のみが示される。又、図３で示される部分以外の動作については、図２のフローチャートに基づく第１動作例と同一の動作を行うので、詳細な説明は省略する。
【００３３】
本動作例では、図３のフローチャートのように、ＳＴＥＰ５でタイマ４がＯＮとされた後、イオン発生部３が除菌動作を行うように制御部８によって制御されて（ＳＴＥＰ５０）、ＳＴＥＰ６に移行する。よって、第１動作例と異なり、室内に人がいなくなったことが検知されると、イオン発生部３が強制的に除菌動作を行い、所定時間ｔｋまでに入室が確認されない場合、イオン発生部３が停止する。
【００３４】
尚、本動作例では、ＳＴＥＰ５０でイオン発生部３が除菌動作を強制的に行うものとしたが、図４のフローチャートのように、室内に人がいなくなったことが検知されると、ＳＴＥＰ５０でイオン発生部３が強制的にリラクゼーション動作を行うものとしても構わない。
【００３５】
１ｃ．人検知センサ５がＯＮのときの第３動作例
人検知センサ５をＯＮとしたときの第３動作例について、図５のフローチャートを参照して説明する。尚、図５のフローチャートでは、図２のフローチャートと異なる部分のみが示される。又、図５で示される部分以外の動作については、図２のフローチャートに基づく第１動作例と同一の動作を行うので、詳細な説明は省略する。
【００３６】
本動作例では、図５のフローチャートのように、ＳＴＥＰ５でタイマ４がＯＮとされた後、第２動作例と同様、イオン発生部３が除菌動作を行うように制御部８によって制御されて（ＳＴＥＰ５０）、ＳＴＥＰ６に移行する。又、ＳＴＥＰ４でタイマ４がＯＮしていることが確認されると（Ｙｅｓ）、タイマ４で計測されている時間ｔが所定時間ｔｋ１（ｔｋ１＜ｔｋ）経過しているか否かが確認される（ＳＴＥＰ５１）。
【００３７】
そして、所定時間ｔｋ１が経過していることが確認されたとき（Ｙｅｓ）、イオン発生部３がリラクゼーション動作を行うように制御部８によって制御されて（ＳＴＥＰ５２）、ＳＴＥＰ６に移行する。又、所定時間ｔｋ１が経過していないときは（Ｎｏ）、イオン発生部３の動作を切り換えることなく、ＳＴＥＰ６に移行する。よって、第１動作例と異なり、室内に人がいなくなったことが検知されると、イオン発生部３が強制的に除菌動作を行い、除菌動作を行ってから所定時間ｔｋ１までに入室が確認されない場合、イオン発生部３が強制的にリラクゼーション動作に切り替わり、更にリラクゼーション動作に切り替わってから所定時間ｔｋ−ｔｋ１までに入室が確認されない場合、イオン発生部３が停止する。
【００３８】
尚、本動作例では、ＳＴＥＰ５０でイオン発生部３が除菌動作を強制的に行うとともにＳＴＥＰ５２でイオン発生部３がリラクゼーション動作に強制的に切り替わるものとしたが、図６のフローチャートのように、室内に人がいなくなったことが検知されると、ＳＴＥＰ５０でイオン発生部３が強制的にリラクゼーション動作を行うとともにＳＴＥＰ５２でイオン発生部が強制的に除菌動作に切り替わるものとしても構わない。
【００３９】
１ｄ．人検知センサ５がＯＮのときの第４動作例
人検知センサ５をＯＮとしたときの第４動作例について、図７のフローチャートを参照して説明する。尚、図７のフローチャートでは、図２のフローチャートと異なる部分のみが示される。又、図７で示される部分以外の動作については、図２のフローチャートに基づく第１動作例と同一の動作を行うので、詳細な説明は省略する。
【００４０】
本動作例では、図７のフローチャートのように、ＳＴＥＰ５でタイマ４がＯＮとされた後、汚れセンサ６によって検出された空気の汚染度が所定値以上であるか否かが確認される（ＳＴＥＰ６０）。このとき、汚染度が所定値以上となる場合（Ｙｅｓ）、イオン発生部３が除菌動作を行うように制御部８によって制御される（ＳＴＥＰ６１）。又、汚染度が所定値よりも低い場合（Ｎｏ）、イオン発生部３がリラクゼーション動作を行うように制御部８によって制御される（ＳＴＥＰ６２）。
【００４１】
このように、ＳＴＥＰ６１でイオン発生部３が除菌動作を行うか、又は、ＳＴＥＰ６２でイオン発生部３がリラクゼーション動作を行うと、ＳＴＥＰ６に移行する。よって、第１動作例と異なり、室内に人がいなくなったことが検知されると、室内の空気の汚染度に応じてイオン発生部３が強制的に除菌動作又はリラクゼーション動作を行い、所定時間ｔｋまでに入室が確認されない場合、イオン発生部３が停止する。
【００４２】
１ｅ．人検知センサ５がＯＮのときの第５動作例
人検知センサ５をＯＮとしたときの第５動作例について、図８のフローチャートを参照して説明する。尚、図８のフローチャートでは、図２のフローチャートと異なる部分のみが示される。又、図８で示される部分以外の動作については、図２のフローチャートに基づく第１動作例と同一の動作を行うので、詳細な説明は省略する。
【００４３】
本動作例では、図８のフローチャートのように、ＳＴＥＰ５でタイマ４がＯＮとされた後、第４動作例と同様、室内の空気の汚染度に応じてイオン発生部３が除菌動作又はリラクゼーション動作を行うように制御部８によって制御されて（ＳＴＥＰ６０〜６２）、ＳＴＥＰ６に移行する。又、ＳＴＥＰ４でタイマ４がＯＮしていることが確認されると（Ｙｅｓ）、イオン発生部３が除菌動作を行っているか否かが確認される（ＳＴＥＰ６３）。そして、イオン発生部３が除菌動作を行っているとき（Ｙｅｓ）、タイマ４で計測されている時間ｔが所定時間ｔｋ１経過しているか否かが確認される（ＳＴＥＰ６４）。
【００４４】
そして、所定時間ｔｋ１が経過していることが確認されたとき（Ｙｅｓ）、イオン発生部３がリラクゼーション動作を行うように制御部８によって制御されて（ＳＴＥＰ６５）、ＳＴＥＰ６に移行する。又、ＳＴＥＰ６３でイオン発生部３がリラクゼーション動作を行っているとき（Ｎｏ）、又は、ＳＴＥＰ６４で所定時間ｔｋ１が経過していないとき（Ｎｏ）、イオン発生部３の動作を切り換えることなく、ＳＴＥＰ６に移行する。
【００４５】
よって、第１動作例と異なり、室内に人がいなくなったことが検知されると、室内の空気の汚染度に応じてイオン発生部３が強制的に除菌動作又はリラクゼーション動作を行う。そして、除菌動作を行われるとき、除菌動作を行ってから所定時間ｔｋ１までに入室が確認されない場合、イオン発生部３が強制的にリラクゼーション動作に切り替わり、更にリラクゼーション動作に切り替わってから所定時間ｔｋ−ｔｋ１までに入室が確認されない場合、イオン発生部３が停止する。又、リラクゼーション動作が行われるとき、リラクゼーション動作を行ってから所定時間ｔｋまでに入室が確認されない場合、イオン発生部３が停止する。
【００４６】
２ａ．人検知センサ５がＯＦＦのときの第１動作例
人検知センサ５をＯＦＦとしたときの動作例について、図９のフローチャートを参照して説明する。入力部７が操作されて電源が投入されると、制御部８によってヒータ１及びファン２及びイオン発生部３が駆動される（ＳＴＥＰ１０１）。その後、入力部７がユーザーによって操作されたか否かが制御部８で確認される（ＳＴＥＰ１０２）。
【００４７】
そして、ユーザーの操作がない場合（Ｎｏ）、タイマ４がＯＮであるか否かが確認される（ＳＴＥＰ１０３）。このとき、タイマ４がＯＦＦであるとき（Ｎｏ）、タイマ４がＯＮとされる（ＳＴＥＰ１０４）。ＳＴＥＰ１０３においてタイマ４がＯＮであるとき（Ｙｅｓ）、又は、ＳＴＥＰ１０４でタイマ４がＯＮとなったとき、タイマ４で計測された時間ｔが所定時間Ｔｋ１（例えば１２時間）経過したか否かが確認される（ＳＴＥＰ１０５）。このとき、所定時間Ｔｋ１の経過が確認された場合（Ｙｅｓ）、タイマ４がリセットされる（ＳＴＥＰ１０６）。一方、所定時間Ｔｋ１の経過が確認されなかった場合（Ｎｏ）、ＳＴＥＰ１０２に移行して、入力部７が操作されたか否かが確認される。
【００４８】
又、ＳＴＥＰ１０２で入力部７の操作が確認されると（Ｙｅｓ）、空気調整装置の電源をＯＦＦするための操作であるか否かが確認される（ＳＴＥＰ１０７）。このとき、電源をＯＦＦするための操作でない場合（Ｎｏ）、タイマ４をリセットした後（ＳＴＥＰ１０８）、ＳＴＥＰ１０１に移行し、入力部７によって入力された条件に従って運転を続ける。又、ＳＴＥＰ１０６でタイマ４がリセットされたとき、又は、ＳＴＥＰ１０７で電源をＯＦＦするための操作が行われたとき（Ｙｅｓ）、ヒータ１を停止させる（ＳＴＥＰ１０９）。よって、ファン２及びイオン発生部３が動作している状態となる。その後、タイマ４をＯＮする（ＳＴＥＰ１１０）。
【００４９】
そして、タイマ４で計測された時間ｔが所定時間ｔｋ経過しているか否かが確認される（ＳＴＥＰ１１１）。このとき、所定時間ｔｋ経過していることが確認されると（Ｙｅｓ）、ファン２及びイオン発生部３が停止するように制御部８が制御し（ＳＴＥＰ１１２）、空気調整装置の電源をＯＦＦにする。又、所定時間ｔｋが経過していない場合（Ｎｏ）、再度、ＳＴＥＰ１１１で時間の経過が確認される。
【００５０】
２ｂ．人検知センサ５がＯＦＦのときの第２動作例
人検知センサ５をＯＦＦとしたときの第２動作例について、図１０のフローチャートを参照して説明する。尚、図１０のフローチャートでは、図９のフローチャートと異なる部分のみが示される。又、図１０で示される部分以外の動作については、図９のフローチャートに基づく第１動作例と同一の動作を行うので、詳細な説明は省略する。
【００５１】
本動作例では、図１０のフローチャートのように、ＳＴＥＰ１１０でタイマ４がＯＮとされた後、イオン発生部３が除菌動作を行う（ＳＴＥＰ１５０）。そして、ＳＴＥＰ１１１で所定時間ｔｋが経過していないことが確認されると、ＳＴＥＰ１５０に移行し、所定時間ｔｋが経過するまで、イオン発生部３が除菌動作を続ける。尚、本動作例において、ＳＴＥＰ１５０で除菌動作が強制的に行われるものとしたが、図１１のフローチャートのように、ＳＴＥＰ１５０でリラクゼーション動作が強制的に行われるものとしても構わない。
【００５２】
２ｃ．人検知センサ５がＯＦＦのときの第３動作例
人検知センサ５をＯＦＦとしたときの第３動作例について、図１２のフローチャートを参照して説明する。尚、図１２のフローチャートでは、図９のフローチャートと異なる部分のみが示される。又、図１２で示される部分以外の動作については、図９のフローチャートに基づく第１動作例と同一の動作を行うので、詳細な説明は省略する。
【００５３】
本動作例では、図１２のフローチャートのように、ＳＴＥＰ１１０でタイマ４がＯＮとされた後、第２動作例と同様、イオン発生部３が除菌動作を行う（ＳＴＥＰ１５０）。そして、タイマ４で計測されている時間ｔが所定時間ｔｋ１経過しているか否かが確認される（ＳＴＥＰ１５１）。このとき、所定時間ｔｋ１が経過していない場合（Ｎｏ）、ＳＴＥＰ１５０に移行して、除菌動作が続けられる。
【００５４】
又、所定時間ｔｋ１が経過したことが確認されると（Ｙｅｓ）、イオン発生部３がリラクゼーション動作を行う（ＳＴＥＰ１５２）。そして、タイマ４で計測されている時間ｔが所定時間ｔｋ経過しているか否かが確認される（ＳＴＥＰ１１１）。このとき、所定時間ｔｋが経過していない場合（Ｎｏ）、ＳＴＥＰ１５２に移行して、リラクゼーション動作が続けられる。
【００５５】
尚、本動作例において、ＳＴＥＰ１５０で除菌動作が強制的に行われる後にＳＴＥＰ１５２でリラクゼーション動作が強制的に行われるものとしたが、図１３のフローチャートのように、ＳＴＥＰ１５０でリラクゼーション動作が強制的に行われる後にＳＴＥＰ１５２で除菌動作が強制的に行われるものとしても構わない。
【００５６】
尚、上述の各動作例において、所定時間ｔｋ，ｔｋ１が一定となるように設定されるものとしたが、室内の空気の汚染度に応じて所定時間ｔｋ，ｔｋ１の長さが制御部８で変更されるものとしても構わない。このとき、所定時間ｔｋ１のみが変更されるものとしても構わないし、所定時間ｔｋ，ｔｋ１の両方が変更されるものとしても構わない。
【００５７】
又、人検知センサ５がＯＦＦのときの動作として、人検知センサ５がＯＮしたときの第４及び第５動作例と同様、室内の空気の汚染度に応じて、ヒータ１の停止後に動作させるイオン発生部３の動作状態を決定するようにしても構わない。更に、ＳＴＥＰ１０４において、タイマ４で計測された時間ｔが所定時間Ｔｋ１経過したことが確認されたとき、ヒータ１のみでなく、ファン２及びイオン発生部３も停止させて、空気調整装置の電源をＯＦＦにするようにしても構わない。
【００５８】
又、本実施形態において、ヒータを備えた空気調整装置を例に挙げて説明したが、暖房機として動作する空気調整装置に限定されるものでなく、冷房機又は冷暖房機として動作する空気調整装置としても構わない。更に、ファンがヒータ及びイオン発生部それぞれに対して設けられる構成としても構わない。このとき、ヒータに対して設けられたファンは、ヒータの停止とともに停止される。
【００５９】
【発明の効果】
本発明によると、温度調節部を停止させた後、所定時間、イオン発生部を動作させるので、次回に空気調整装置が運転を行ったとき、室内において最適なイオン濃度に至るまでの時間を短縮させることができる。又、室内に人がいなくなったことを確認した後、所定時間、イオン発生部を動作させるので、その後、入室を行ったときに、室内を快適な状態に保つことができる。更に、人検知センサのＯＮ／ＯＦＦに基づいて、無人状態で空気調整装置を運転させる時間を変更することができ、人検知センサのＯＮ／ＯＦＦそれぞれの場合に応じて安全性及び快適さを両立させる最適な使用状態とすることができる。
【図面の簡単な説明】
【図１】本発明の空気調整装置の内部構成を示すブロック図。
【図２】図１の空気調整装置における人検知センサがＯＮのときの第１動作例を示すフローチャート。
【図３】図１の空気調整装置における人検知センサがＯＮのときの第２動作例を示すフローチャート。
【図４】図１の空気調整装置における人検知センサがＯＮのときの第２動作例の別例を示すフローチャート。
【図５】図１の空気調整装置における人検知センサがＯＮのときの第３動作例を示すフローチャート。
【図６】図１の空気調整装置における人検知センサがＯＮのときの第３動作例の別例を示すフローチャート。
【図７】図１の空気調整装置における人検知センサがＯＮのときの第４動作例を示すフローチャート。
【図８】図１の空気調整装置における人検知センサがＯＮのときの第５動作例を示すフローチャート。
【図９】図１の空気調整装置における人検知センサがＯＦＦのときの第１動作例を示すフローチャート。
【図１０】図１の空気調整装置における人検知センサがＯＦＦのときの第２動作例を示すフローチャート。
【図１１】図１の空気調整装置における人検知センサがＯＦＦのときの第２動作例の別例を示すフローチャート。
【図１２】図１の空気調整装置における人検知センサがＯＦＦのときの第３動作例を示すフローチャート。
【図１３】図１の空気調整装置における人検知センサがＯＦＦのときの第３動作例の別例を示すフローチャート。
【符号の説明】
１    ヒータ
２    ファン
３    イオン発生部
４    タイマ
５    人検知センサ
６    汚れセンサ
７    入力部
８    制御部
【図１】
2004162964.tif 000003
【図２】
2004162964.tif 000004
【図３】
2004162964.tif 000005
【図４】
2004162964.tif 000006
【図５】
2004162964.tif 000007
【図６】
2004162964.tif 000008
【図７】
2004162964.tif 000009
【図８】
2004162964.tif 000010
【図９】
2004162964.tif 000011
【図１０】
2004162964.tif 000012
【図１１】
2004162964.tif 000013
【図１２】
2004162964.tif 000014
【図１３】
2004162964.tif 000015